(57)【要約】【課題】吸引排塵ファンによる藁屑の吸塵選別効果を高め、脱穀作業の能率および精度を高める。【解決手段】扱室（３）の後部に連通した排塵処理室（２２）の側方に吸引排塵ファン（１８）を対向させて設ける。そして、扱室（３）および排塵処理室（２２）の下方に設けた揺動選別棚（７）の後部に多数のストローラック（１１）を並べて設け、この多数のストローラック（１１）のうちの吸引排塵ファン（１８）寄りの側のストローラック（１１ａ）を、該吸引排塵ファン（１８）寄りの側とは反対の側のストローラック（１１ｂ）よりも高い位置に設ける。【選択図】  図２
2009131155.tif 000002
【特許請求の範囲】
【請求項１】
扱室（３）の後部に排塵処理室（２２）の前部を連通させる連通口（２０）を設け、該排塵処理室（２２）の側方に片側吸引方式の吸引排塵ファン（１８）を対向させて設け、前記扱室（３）および排塵処理室（２２）の下方に揺動選別棚（７）を設け、該揺動選別棚（７）の後部に、多数のストローラック（１１）を揺動選別棚（７）の幅方向に並べて設け、該多数のストローラック（１１）のうちの吸引排塵ファン（１８）寄りの側のストローラック（１１ａ）を、該吸引排塵ファン（１８）寄りの側とは反対の側のストローラック（１１ｂ）よりも高い位置に設けたことを特徴とする脱穀機。
【請求項２】
前記吸引排塵ファン（１８）寄りの側のストローラック（１１ａ）の前後方向の作用長さ（Ａ）を、吸引排塵ファン（１８）寄りの側とは反対の側のストローラック（１１ｂ）の前後方向の作用長さ（Ｂ）よりも長く形成したことを特徴とする請求項１記載の脱穀機。
【発明の詳細な説明】
【技術分野】
【０００１】
この発明は、脱穀機に関するものである。
【背景技術】
【０００２】
従来技術として、例えば、特許文献１には、左右所定間隔置きに並列状に配置したストローラックの上縁を、所定本数置きに高低差をつけて配置した構成のものが開示されている。
【０００３】
また、特許文献２には、ストローラックの移送終端部の高さ位置を、吸引ファン側ほど順次低くなるように配置構成したものが開示されている。
【特許文献１】特開２００１−２１１７２９号公報
【特許文献２】特開２００３−７０３３６号公報
【発明の開示】
【発明が解決しようとする課題】
【０００４】
特許文献１に示されたストローラックは、所定本数おきに高低差をつけて配置したものであり、特許文献２に示されたストローラックは、高さ位置が吸引排塵ファン側ほど低くなるように配置したものであるため、両文献いずれも吸塵選別効果はそれほど期待できないものである。
【０００５】
本発明による課題は、揺動選別棚終端のストローラックを排塵選別室の左側と右側とで高低段差を設けるようにし、そして、排塵選別室一側の吸引排塵ファン側が高くなるようにして藁屑の吸塵選別効果を高め、更にストローラックの高い側の作用長さを長くすることによって藁屑の捌き作用を良好確実にし、吸塵選別性能の向上を図ることにある。
【課題を解決するための手段】
【０００６】
この発明は、上記課題を解決すべく次のような技術的手段を講じた。
すなわち、請求項１記載の発明は、扱室（３）の後部に排塵処理室（２２）の前部を連通させる連通口（２０）を設け、該排塵処理室（２２）の側方に片側吸引方式の吸引排塵ファン（１８）を対向させて設け、前記扱室（３）および排塵処理室（２２）の下方に揺動選別棚（７）を設け、該揺動選別棚（７）の後部に、多数のストローラック（１１）を揺動選別棚（７）の幅方向に並べて設け、該多数のストローラック（１１）のうちの吸引排塵ファン（１８）寄りの側のストローラック（１１ａ）を、該吸引排塵ファン（１８）寄りの側とは反対の側のストローラック（１１ｂ）よりも高い位置に設けたことを特徴とする脱穀機としたものである。
【０００７】
揺動選別棚７の後部のストローラック１１上まで送られてくる被選別物は、穀粒が少なく粗大な藁屑を多量に含むものであるが、吸引排塵ファン１８側のストローラック１１ａが反対側のストローラック１１ｂよりも高い位置に設けられているため、粗大な藁屑が吸塵され易くなり、吸塵選別効果が高まる。
【０００８】
請求項２記載の発明は、前記吸引排塵ファン（１８）寄りの側のストローラック（１１ａ）の前後方向の作用長さ（Ａ）を、吸引排塵ファン（１８）寄りの側とは反対の側のストローラック（１１ｂ）の前後方向の作用長さ（Ｂ）よりも長く形成したことを特徴とする請求項１記載の脱穀機としたものである。
【０００９】
吸引排塵ファン１８寄りの側のストローラック１１ａによる藁屑の捌き効果が高まり、前後間の長いラック送り作用範囲内で吸塵作用が働くことになるので、吸塵選別性能がより向上することになる。
【発明の効果】
【００１０】
請求項１記載の発明によれば、吸引排塵ファン１８側のストローラック１１ａが上方に高くなっているため、粗大な藁屑が吸塵され易く、吸塵選別効果を高めることができ、脱穀作業の能率および精度を高めることができる。
【００１１】
請求項２記載の発明によれば、請求項１記載の発明の効果を奏するものでありながら、吸引排塵ファン１８寄りの側のストローラック１１ａの作用長さが長くなっているので、粗大な藁屑の捌き効果を高めることができ、吸塵選別性能が一段と向上し、脱穀作業の能率および精度を更に向上させることができる。
【発明を実施するための最良の形態】
【００１２】
この発明の実施例を図面に基づき説明する。
図１は、脱穀機の側断面図を示すものであり、次のような構成になっている。
すなわち、脱穀機１は、脱穀フィードチェン２により株元を挟持しながら搬送される穀稈の穂先部を扱室３内で駆動回転する扱胴４により脱穀処理するよう構成している。扱室３の下半周部には受網５が張設され、扱胴４の上部を覆う扱胴カバー６は、扱室の一側を支点として揺動開閉する構成である。扱室下方の揺動選別装置（揺動選別棚）７は、脱穀処理後の処理物を受け入れて揺動移送しながらふるい選別する構成であり、選別方向上手側から移送棚８、ファーストシーブ９、チャフシ−ブ１０、ストロ−ラック１１の順に配置し、且つ、前記チャフシ−ブ１０の下方にグレンシ−ブ１２、１番戻し棚１３、２番戻し棚１４を配置して設けた構成としている。
【００１３】
また、揺動選別棚７の下方には選別方向の上手側から順に、唐箕１５と、１番移送螺旋１６、２番移送螺旋１７と、その上方一側に片側吸引方式の吸塵口１８ａをもつ吸引排塵ファン１８を設けて排塵選別室を構成している。
【００１４】
また、前記扱室３のフィードチェン２側とは反対側で前記吸引排塵ファン１８と対向する側には、扱室３後部の連通口２０からの処理物を受け入れて処理する排塵処理胴２１を軸架した排塵処理室２２が並設されている。排塵処理胴２１の終端部には排塵処理物をストローラック１１上に排出する排出羽根２３が設けられている。また、排塵処理胴２１の前方側には同一軸芯上において２番処理胴２４が２番処理室２５内に軸架されている。
【００１５】
前記ストローラック１１は、数枚のラック板を左右方向に所定間隔置きに配置してあり、左側の吸引排塵ファン１８側のストローラック１１ａが右側の排塵処理胴２１側のストローラック１１ｂよりも上方に高く位置するように配設してあり、しかも、上方に高くした吸引排塵ファン１８側のストローラック１１ａは、このラック送り作用長さ（Ａ）が排塵処理胴２１側のストローラック１１ｂの作用長さ（Ｂ）よりも前方側へ長くなるように作用範囲を大きくした構成としている。実施例では連結板１１ｃの上方より設けて作用長さを長くしている。また、このストローラック１１ａの前方部と後方部で傾斜角度を異ならせ、前方部を後方部よりも急傾斜とし、前方部と後方部の間を緩やかな曲線でつなぐ山形状としている。前方部の急傾斜部でワラ屑を持ち上げ、後方部の緩傾斜部は排塵処理胴側ストローラック１１ｂと略同角度として、吸引排塵ファン吸塵口との高低差を少なくすると共に、後方への藁屑の送塵排出が円滑に行えるようにしている。なお、図例では急傾斜部のラックピッチを緩傾斜部のラックピッチより小さくして藁屑の持ち上げ送り作用を促進するようにしている。
【００１６】
また、吸引排塵ファン１８側の各ストローラック１１ａ，１１ａ…間のピッチＬ１は、排塵処理胴側２１のストローラック１１ｂ，１１ｂ…間のピッチＬ２よりも大きくして穀粒のふるい選別を効果的に行い３番ロスの低減を図るようにしている。
【００１７】
ストローラック１１ｂ上端縁とストローラック１１ａ上端縁との間は、側面視において略空間部がなくなるように吸引排塵ファン側ストローラック１１ａの上下幅を広く設定（即ちストローラック１１ｂの上端縁とストローラック１１ａの下端縁との間の隙間を無くす。）した構成としている。これにより、排塵処理胴終端側からの排塵物が吸引排塵ファン側ストローラック上に移行する際、高低ストローラック間に挟まってその移行を阻止する不具合がなく、吸塵作用が円滑に行える。
【００１８】
ストローラック１１ａの始端は、作用長さを長くするためラック形状としてあり、１番戻し棚１３と吸引排塵ファン１８の吸塵口１８ａの中間で略一直線上に配置している。ストローラック１１ａ始端部位は唐箕１５から吸引排塵ファン１８までの選別風路上に位置してあり、ラック形状とすることで藁屑と穀粒の分離作用が促進される。
【００１９】
排塵処理胴側ストローラック１１ｂは、チャフシーブ１０の各シーブ板の上端を結ぶ一直線状に設け、吸引排塵ファン側ストローラック１１ｂは、それよりも上方に突出させて設けた構成とすることにより、排塵処理胴側では揺動選別棚上における処理物の送塵を停滞させることなく選別処理することができ、吸引排塵ファン側では処理物を上方に持ち上げ吸引排塵ファンへの吸塵を補助することができる。
【００２０】
揺動選別棚７終端部より藁屑等の排塵物を後方に向けて排出する３番出口部２８に、シール部材２９を垂下させて設けた構成のものにおいて、吸引排塵ファン側ストローラック１１ａに対応する上方部位に切欠部２９ａを設けることにより、吸引排塵ファンに吸塵されない藁屑などが速やかに後方機外に排出されるようになる。
【００２１】
図５に示すように、扱室３は、前側板３ａと中側板３ｂ，３ｃとの間に構成され、排塵処理室２２への連通口２０部は中側板３ｂと３ｃとの間に形成されている。そして、扱胴４を前記連通口２０より後方に延長して中側板３ｃと後側板３ｂとの間にささり粒回収室３１を構成している。
【００２２】
ささり粒回収室３１の株元側で扱胴下方には搬送穀稈を支持する株元支えガイド体３２を設け、更に、扱室３の後側板３ｄには、扱胴軸から駆動回転されるベベルギヤ機構を内装するベベルギヤケース３３を設け、このベベルギヤケース３３より斜め後方に延出する排藁伝動軸３４及び排藁（穂先）搬送チェン３５ａ、排藁（株元）搬送チェン３５ｂの中間部に設けた排藁駆動スプロケット３６，３６を介して排藁搬送チェン３５ａ，３５ｂを回転駆動すべく連動連結している。
【００２３】
そして、上記構成のものにおいて、株元支えガイド体３２より排藁穂先搬送チェン３５ａの穂先ガイド杆３７を設けると共に、排藁株元搬送チェン３５ｂの株元挟持杆３８の先端部は前記穂先ガイド杆３７の始端部及び株元支えガイド体３２近傍まで延出させて引継ぎ可能に臨ませた構成としている。従って、穂先ガイド杆及び株元挟持杆を扱室の直後方まで前方に延出することで、扱室の直後方に排藁穂先搬送チェンや排藁株元搬送チェンを設けても扱室から排出される排藁を円滑に排藁搬送部に導くことができる。
【００２４】
また、穂先ガイド杆３７及び株元挟持杆３８の始端部は、排藁搬送部の駆動プーリ部や排藁駆動ベルトラインより前方の扱胴側に延出している。排藁搬送部の伝動を扱胴から右方向に迂回し排藁搬送始端部を扱室の直後方に設けることで機体をコンパクトに構成できる。
【図面の簡単な説明】
【００２５】
【図１】脱穀機の側断面図
【図２】同上要部の拡大側断面図
【図３】同上要部の平断面図
【図４】脱穀機の要部の背面図
【図５】同上平面図
【図６】同上要部の背面図
【符号の説明】
【００２６】
３    扱室
７    揺動選別棚
１１    ストローラック
１１ａ  吸引排塵ファン寄りの側のストローラック
１１ｂ  吸引排塵ファン寄りの側とは反対の側のストローラック
１８    吸引排塵ファン
２０    連通口
２２    排塵処理室
Ａ    吸引排塵ファン寄りの側のストローラックの前後方向の作用長さ
Ｂ    吸引排塵ファン寄りの側とは反対の側のストローラックの前後方向の作用長さ
【図１】
2009131155.tif 000003
【図２】
2009131155.tif 000004
【図３】
2009131155.tif 000005
【図４】
2009131155.tif 000006
【図５】
2009131155.tif 000007
【図６】
2009131155.tif 000008